【手続補正書】
【提出日】平成17年11月24日(2005.11.24)
【手続補正１】
【補正対象書類名】特許請求の範囲
【補正対象項目名】全文
【補正方法】変更
【補正の内容】
【特許請求の範囲】
【請求項１】
２つの要素を相互に所定の角度で配置するための連結構成であって、
第１の連結要素と、
第２の連結要素と、
摺動部と、
結合機構と、
を備え、
前記第１の連結要素は、ボールソケットを有し、
前記第２の連結要素は、前記ボールソケットに嵌合する実質的に球形の部分形状を有する突出部を備え、
前記結合機構は、前記第１の連結要素と、前記摺動部と、前記第２の連結要素とを押しつけて結合し、
前記ボールソケット、前記摺動部、および前記突出部の対向する面の各々は、凸形の形状と、前記凸形の形状に嵌合する凹形の形状とを有しており、
前記嵌合する構成によって、第１および第２の回転軸が前記摺動部と、前記ボールソケットと、前記突出部との間に規定され、
前記凹形の形状は、少なくとも前記押しつけの無い状態において、前記凸形の形状よりも大きな曲率を有することを特徴とする、連結構成。
【請求項２】
請求項１に記載の連結構成であって、
前記嵌合する構成は、複数の平行な、上方から見て直線状の山と谷とを複数備える、連結構成。
【請求項３】
２つの要素を相互に所定の角度で配置するための連結構成であって、
第１の連結要素と、
第２の連結要素と、
摺動部と、
結合機構と、
を備え、
前記第１の連結要素は、ボールソケットを有し、
前記第２の連結要素は、前記ボールソケットに嵌合する実質的に球形の部分形状を有する突出部を備え、
前記結合機構は、前記第１の連結要素と、前記摺動部と、前記第２の連結要素とを押しつけて結合し、
前記ボールソケット、前記摺動部、および前記突出部の対向する面の各々は、凸形の形状と、前記凸形の形状に嵌合する凹形の形状とを有しており、
前記嵌合する構成によって、第１および第２の回転軸が前記摺動部と、前記ボールソケットと、前記突出部との間に規定され、
前記嵌合する構成は、複数の平行な上方から見て直線状の山と谷とを有し、
前記嵌合する構成は、相互に表面全体で接触することを特徴とする、連結構成。
【請求項４】
請求項１ないし３のいずれかに記載の連結構成であって、
前記第１および第２の回転軸は、相互に直交するよう配置される、連結構成。
【請求項５】
請求項１ないし４のいずれかに記載の連結構成であって、
前記摺動部は、実質的に半球の形状を有する、連結構成。
【請求項６】
請求項１ないし５のいずれかに記載の連結構成であって、
前記ボールソケット、前記摺動部および前記突出部の前記嵌合する構成は、表面全体を覆うよう設計されている、連結構成。
【請求項７】
請求項１ないし６のいずれかに記載の連結構成であって、
前記ボールソケット、前記摺動部、および前記突出部の前記嵌合する構成は、所定の運動方向に直交する断面において、一様な波形を示す、連結構成。
【請求項８】
請求項７記載の連結構成であって、
前記嵌合する構成は、所定の運動方向に直交する断面において、一様な正弦曲線波形を示す、連結構成。
【請求項９】
請求項１ないし８のいずれかに記載の連結構成であって、
前記摺動部は、振動減衰材料からなる、連結構成。
【請求項１０】
請求項１ないし９のいずれかに記載の連結構成であって、
前記突出部、前記摺動部、および前記ボールソケットの各々は、中央開口部を有し、
前記結合装置は、前記ボールソケット、前記摺動部、および前記突出部の前記中央開口部を貫通して伸びる結合ロッドを備える、連結構成。
【請求項１１】
請求項１ないし１０のいずれかに記載の連結構成であって、
前記摺動部は、前記第１の連結要素と前記第２の連結要素の間に配置され、
前記突出部は、前記凸形の形状が設けられた凸形の面を有し、
前記摺動部は、前記突出部の前記凸形の面が有する前記凸形の形状に嵌合する前記凹形の形状を有する凹形の面を備え、
前記突出部と前記摺動部との間の前記嵌合する構成は、前記第２の回転軸を規定し、
前記ボールソケットは、前記凹形の形状を有する凹形の面を備え、
前記摺動部は、前記ボールソケットの前記凹形の面の前記凹形の形状と嵌合する前記凸形の形状を有する凸形の面を備え、
前記摺動部と前記ボールソケットとの間の前記嵌合する構成は、前記第１の回転軸を規定する、連結構成。
【請求項１２】
請求項１１に記載の連結構成であって、
前記結合ロッドは、前記摺動部から離れた端部において、前記突出部および前記ボールソケットによって支持され、
前記突出部と前記摺動部、あるいは、前記ボールソケットと前記摺動部の前記中央開口部の少なくとも内径は、前記結合ロッドが、十分な大きさの遊びを有しつつ前記２つの連結要素の最大旋回範囲を規定するように前記中央開口部を貫通するほどの大きさを有する、連結構成。
【請求項１３】
請求項１ないし９のいずれかに記載の連結構成であって、
前記突出部は、前記ボールソケット内に配置され、
前記突出部は、前記凸形の形状を有する凸形の面を備え、
前記ボールソケットは、前記突出部の前記凸形の面の前記凸形の形状に嵌合する前記凹形の形状を有する凹形の面を備え、
前記突出部と前記ボールソケットとの間の前記嵌合する構成は、前記第２の回転軸を規定し、
前記ボールソケットは、前記凸形の形状を有する凸形の面を備え、
前記摺動部は、前記ボールソケットの前記凸形の面の前記凸形の形状に嵌合する前記凹形の形状を有する凹形の面を備え、
前記ボールソケットと前記摺動部の前記嵌合する構成は、前記第１の回転軸を規定する、連結構成。
【請求項１４】
請求項１３に記載の連結構成であって、
前記結合ロッドは、前記ボールソケットから離れた面において、前記突出部と前記摺動部とによって支持され、
前記ボールソケットと前記摺動部、あるいは、前記ボールソケットと前記突出部の前記中央開口部の内径は、前記結合ロッドが、十分な大きさの遊びを有しつつ前記２つの連結要素の最大旋回範囲を規定するように前記中央開口部を貫通するほどの大きさを有する、連結構成。
【請求項１５】
請求項１ないし９のいずれかに記載の連結構成であって、
前記突出部は、前記ボールソケット内に配置され、
前記突出部は、前記凸形の形状を有する凸形の面を備え、
前記ボールソケットは、前記突出部の前記凸形の面の前記凸形の形状に嵌合する前記凹形の形状を有する凹形の面を備え、
前記突出部と前記ボールソケットとの間の前記嵌合する構成は、前記第２の回転軸を規定し、
前記突出部は、前記凹形の形状を有する凹形の面を備え、
前記摺動部は、前記突出部の前記凹形の面の前記凹形の形状に嵌合する凸形の形状を有する凸形の面を備え、
前記突出部と前記摺動部の前記嵌合する構成は、前記第１の回転軸を規定する、連結構成。
【請求項１６】
請求項１５記載の連結構成であって、
前記結合ロッドは、前記突出部から離れた前記ボールソケットおよび前記摺動部の２つの面において支持され、
前記摺動部および前記突出部、または、前記突出部および前記ボールソケットの前記中央開口部の幅は、前記結合ロッドが、前記２つの連結要素の間の最大旋回角度を決定するすき間を広く保ちつつ前記所定の中央開口部を貫通するほどの大きさを有する、連結構成。
【請求項１７】
請求項１３ないし１６のいずれかに記載の連結構成であって、
前記摺動部は、圧力ディスクによって前記結合ロッド上に支持され、
前記摺動部は、前記突出部の前記凹形の上面または前記ボールソケットの前記凸形の下面に接触している、連結構成。
【請求項１８】
請求項１０ないし１７のいずれかに記載の連結構成であって、
前記結合ロッドは、ねじりバネを貫通する、連結構成。
【請求項１９】
請求項１ないし１８のいずれかに記載の連結構成であって、
前記第１の連結要素および前記第２の連結要素を嵌合させる電気モータ位置決め装置が設けられている、連結構成。
【請求項２０】
請求項１ないし１９のいずれかに記載の連結構成であって、
前記連結構成は、調節可能なミラー板を備えるリアビューミラーのためのものである、連結構成。
【請求項２１】
ミラー支持体と、ミラー板と、前記ミラー支持体に対して前記ミラー板を調節するための連結構成とを備える自動車用の調節可能リアビューミラーであって、
前記連結構成は、請求項１ないし２０のいずれかに記載の連結構成である、調節可能リアビューミラー。